(57)【要約】      （修正有）【課題】仏壇の中等の狭いスペースにも設置可能であり、華やかな雰囲気を演出することが可能な位牌を提供する。【解決手段】位牌１０は、戒名等が記載される札部２０と台座部３０とで構成されたものであり、台座部３０の天面３０ｃにおける板部２０の正面側の位置には、上方に向けて開口した凹部が設けられており、この凹部の内部に花５０を取り付けた花用保持材が設置されている。これにより、札部２０の基端部近傍に花５０があしらわれた状態になり、華やかな雰囲気を演出することが可能となる。【選択図】図３
0003164630.tif 000002
【実用新案登録請求の範囲】
【請求項１】
札部と前記札部に接続された台座部とを有し、
前記台座部の天面であって前記板部の正面側の位置には、上方に向けて開口した凹部が設けられており、
前記凹部の内部には、花用保持材が設けられていること
を特徴とする位牌。
【請求項２】
前記花用保持材が、前記凹部に対して着脱可能なケースと、前記ケースに取り付けられたスポンジ状部材と、で構成されていること
を特徴とする請求項１に記載の位牌。
【請求項３】
前記花用保持材にプリザーブドフラワーが取り付けられていること
を特徴とする請求項１又は２に記載の位牌。
【請求項４】
前記花用保持材の底面及び／又は前記凹部の底面に固定部材が設けられており、
前記凹部に挿入された前記花用保持材が前記固定部材によって固定されること
を特徴とする請求項１〜３のいずれかに記載の位牌。
【考案の詳細な説明】
【技術分野】
【０００１】
本考案は、戒名等を表示して仏壇等に安置する位牌に関するものである。
【背景技術】
【０００２】
位牌に関しては、従来、例えば特許文献１（実用新案登録第３０５９１９１号公報）に記載の位牌や特許文献２（実用新案登録第３０８８２７２号公報）に記載の位牌載置台が提供されている。
【０００３】
特許文献１に開示されている位牌は、戒名等が記載される札板と、台座となる框との間に、受けや、返り花、ナス座、蓮華などの中間部材が配され、札板の下端部に設けられた挿嵌体を中間部材に形成された嵌挿孔に挿通することにより各部材が一体化された構造とされている。
【０００４】
また、特許文献２に記載の位牌載置台は、発泡スチロールで所定の形状に形成してなる台本体に、位牌を収納する収納穴部を設け、この穴部の内周面を含む表面全体にビロード状の加飾層を形成し、底部に底板を貼付したものである。この位牌載置台は、載置台の上面に造花などを設置できる構成とされている。
【先行技術文献】
【特許文献】
【０００５】
【特許文献１】実用新案登録第３０５９１９１号公報
【特許文献１】実用新案登録第３０８８２７２号公報
【考案の概要】
【考案が解決しようとする課題】
【０００６】
上記特許文献１に開示されているような従来技術の位牌は、返り花、ナス座、蓮華などの中間部材に装飾を施すことが可能であるが、華やかさに欠け、仏壇に手を合わせる人の気持ちを明るくさせるようなものではなかった。また近年、仏壇や位牌等の仏具は、葬式のためだけの仏教信仰で必要とされるものに留まらず、明るい気持ちで故人の顔や姿を思い浮かべて偲ぶためのものとしてのニーズがあるが、従来技術の位牌ではこのようなニーズを満足させることができなかった。
【０００７】
上記特許文献２に開示されている位牌載置台は、載置台に設けられた収納穴部に位牌を収納し、載置台の上面に造花などを設置することにより華やかな雰囲気を演出することが可能とされているが、位牌とは別に載置台を設けなければならず、その分だけ大型化してしまう。従って、特許文献２の位牌載置台は、葬儀や法事において祭壇の中央に故人の位牌を載置するには適しているが、仏壇の中等の大きなスペースを確保できない場所には配置しにくいという問題があった。
【０００８】
そこで、本考案は、仏壇の中等の狭いスペースにも設置可能であり、華やかな雰囲気を演出することが可能な位牌の提供を目的とする。
【課題を解決するための手段】
【０００９】
上記した課題を解決すべく提供される本考案の位牌は、
札部と前記札部に接続された台座部とを有し、
前記台座部の天面であって前記板部の正面側の位置には、上方に向けて開口した凹部が設けられており、
前記凹部の内部には、花用保持材が設けられていること
を特徴とするものである。  
【００１０】
本考案の位牌は、凹部内に設置されている花用保持材（花台）にプリザーブドフラワーや造花、生花等の花を取り付けることにより、戒名等が記載される札部（札板）の正面側に花があしらわれ、華やかな雰囲気を演出することが可能となる。また、本考案の位牌は、位牌を構成する台座部の凹部に花用保持材を設置するものでありコンパクトな構成であるため、仏壇の中等の狭いスペースにも容易に設置できる。
【００１１】
本考案の位牌は、
前記花用保持材が、前記凹部に対して着脱可能なケースと、前記ケースに取り付けられたスポンジ状部材と、で構成されていること、が望ましい。
【００１２】
かかる構成とすることにより、花用保持材をカートリッジ式に着脱可能な部品とすることができ、その時々の気分に合わせて花の交換等を容易に実施可能とすることができる。
【００１３】
また、本考案の位牌は、
花用保持材にプリザーブドフラワーが取り付けられたものであることが好ましい。
【００１４】
かかる構成とすることにより、花の交換の手間を最小限に抑制しつつ、花を設置することにより醸し出される華やかな雰囲気を長期に亘って維持させることが可能となる。また、本考案のようにプリザーブドフラワーを用いた場合は、幾らかの年月を経て施主の気持ちが癒された頃に花が傷む。従って、本考案によれば、年月の経過に伴う施主の心情の変化を花に反映させることが可能であり、手を合わせるたびに気持ちが明るくなるような位牌を提供することができる。
【００１５】
本考案の位牌は、
花用保持材の底面及び／又は凹部の底面に固定部材が設けられており、
前記凹部に挿入された花用保持材が固定部材によって固定されることが好ましい。
【００１６】
かかる構成とした場合は、凹部に対して挿入するだけで花用保持材が固定された状態になるため、花用保持材を容易に設置することができる。
【考案の効果】
【００１７】
本考案によれば、仏壇の中等の狭いスペースにも設置可能であり、華やかな雰囲気を演出することが可能な位牌を提供できる。
【図面の簡単な説明】
【００１８】
【図１】本考案の一実施形態に係る位牌を示す斜視図である。
【図２】（ａ）は図１に示す位牌の正面図、（ｂ）は（ａ）に示す位牌の側面図、（ｃ）は（ａ）に示す位牌の平面図である。
【図３】図１に示す位牌の使用状態を示す写真である。
【図４】（ａ）は図１に示す位牌において使用されている花用保持材を示す分解斜視図であり、（ｂ）は（ａ）に示す花用保持材に花を装着した状態を示す写真である。
【図５】図１に示す位牌の変形例に係る位牌の斜視図である。
【図６】（ａ）は図５に示す位牌の正面図、（ｂ）は（ａ）に示す位牌の側面図、（ｃ）は（ａ）に示す位牌の平面図である。
【考案を実施するための形態】
【００１９】
続いて、本考案の一実施形態に係る位牌１０について、図面を参照しつつ詳細に説明する。ただし、本考案は当該実施形態に限定されるものではない。また、重複する部分の説明については同一の符号を付し、省略している場合もあり、図面における各部材の形状や寸法は、本考案の作用効果を奏するための実際の形状や寸法を必ずしも正確に表していない場合もある。また、以下の説明において上下等の位置関係については、特に断りのない限り図示状態を基準として説明する。
【００２０】
図１〜図３に示すように、位牌１０は、札部２０と台座部３０とに大別され、これらを組み合わせることによって形成されたものであり、花用保持材４０が設置されている。図１は、本考案の一実施形態に係る位牌を示す斜視図である。図２において、（ａ）は図１に示す位牌の正面図であり、（ｂ）は（ａ）に示す位牌の側面図であり、（ｃ）は（ａ）に示す位牌の平面図である。また、図３は、図１に示す位牌の使用状態を示す写真である。
【００２１】
本実施形態の位牌１０において、札部２０及び台座部３０は、いずれも木材、石材、樹脂材料等、適宜の素材によって構成することができ、板部２０及び台座部３０には、ウレタン塗装等、任意の手法により塗装を施すことが可能である。
【００２２】
また、板部２０及び台座部３０には、いわゆるオープン仕上げ、鏡面仕上げ、セミオープン仕上げ等、任意の表面仕上げを施したものを使用することができる。本実施形態では、唐木材にウレタン塗装を施し、オープン仕上げあるいは鏡面仕上げにより表面仕上げを行ったものが札部２０及び台座部３０として使用されている。
【００２３】
札部２０は、表示部２２と、台座３０に対して挿入するための挿入部２４と、を有している。表示部２２には、故人の戒名や俗名、メッセージ性の高い言葉等を記すことが可能とされており、挿入部２４は、表示部２２の下端部から下方に向けて突出している。
【００２４】
台座部３０の底面３０ａ、背面３０ｂ及び天面３０ｃは平坦であり、側面３０ｄ，３０ｅや正面３０ｆは湾曲した形状とされている。天面３０ｃには、左右方向（側面３０ｄから側面３０ｅに向かう方向）に延びる挿入穴３２が設けられている。
【００２５】
挿入穴３２は、上述した札部２０の挿入部２４と略隙間無く収まる大きさ及び形状の穴である。この挿入穴３２には挿入部２４が挿入されており、これにより札部２０と台座部３０とが接続されている。
【００２６】
また、天面３０ｃにおいて挿入穴３２よりも正面３０ｆ側の位置には、開口形状が略矩形の凹部３４が設けられている。凹部３４は、札部２０と台座部３０とを一体化した状態において、札部２０の正面２０ａ側に隣接した位置において上方に向けて開口している。凹部３４の開口幅（側面３０ｄ側から側面３０ｅ側に至る長さ）は、表示部２２の幅の１／３〜２倍程度の範囲内であることが好ましく、１／２〜１倍程度の範囲内であることが更に好ましい。
【００２７】
凹部３４には、花用保持材４０が設置されている。図４に示すように、花用保持材４０は、ケース４２の内部にスポンジ状部材４４を収容して構成されたものである。ケース４２は、凹部３４内に略隙間無く収まる大きさ及び形状であって、天面側に開口４２ａを有する箱体であり、樹脂、木材、金属等の適宜の素材によって形成されている。
【００２８】
ケース４２の底面４２ｂには、ケース４２を凹部３４内に固定するための固定部材４６が取り付けられている。固定部材４６には、例えば両面テープや面ファスナ等を使用することが可能であるが、本実施形態では両面テープが用いられている。そのため、ケース４２を凹部３４内に挿入するだけで、固定部材４６をなす両面テープの粘着力により花用保持材４０が固定された状態になり、ケース４２を引き上げるだけで花用保持材４０を取り外すことができる。
【００２９】
スポンジ状部材４４は、フェノール樹脂やポリウレタン樹脂等を原料とする生花用吸水スポンジ等によって構成されている。スポンジ状部材４４は、ケース４２内に収容されており、開口４２ａにおいて天面４４ａが露出した状態とされている。天面４４ａには、プリザーブドフラワー等の花５０が突き刺されて接着剤等を用いて取り付けられている。
【００３０】
位牌１０は、花５０が装着された花用保持材４０を凹部３４に差し込み、装着した状態として使用される。凹部３４に花用保持材４０を装着すると、図３に示すように札部２０の正面２０ａ側において下端部に花５０があしらわれた状態になり、華やかな雰囲気を演出することが可能となる。
【００３１】
また、位牌１０は、台座部３０に花用保持材４０を設置するための凹部３４が設けられたものであるため、全体としてコンパクトな構成であり、仏壇の中等の狭いスペースにも容易に設置できる。
【００３２】
また、本実施形態の位牌１０は、ケース４２にスポンジ状部材４４を収容したカートリッジ式のものであるため、凹部３４からケース４２を引き抜き交換するだけで花５０を交換することができる。
【００３３】
なお、本実施形態では、花用保持材４０をカートリッジ式のものとした例を示したが、本発明はこれに限定されるものではなく、ケース４２を備えず、花５０を装着するためのスポンジ状部材４４のみによって構成されたものであってもよい。
【００３４】
本実施形態の位牌１０は、プリザーブドフラワーが花５０として用いられているため、数年間もの長期に亘って華やかな雰囲気を維持させることが可能である。また、花５０をプリザーブドフラワーとした場合は、幾らかの年月を経て施主の気持ちが癒された頃に花５０が傷むと想定され、その時点における心情に合致するものに取り替えることが可能である。従って、プリザーブドフラワーを花５０として用いることにより、手を合わせるたびに気持ちが明るくなるような位牌１０を提供することができる。
【００３５】
また、位牌１０は、花台４０をなすケース４２の底面４２ｂに固定部材４６が設けられており、凹部３４に対して挿入だけで花用保持材４０が固定部材４６によって固定された状態になる。
【００３６】
逆に、花用保持材４０を凹部３４の略鉛直上方に引き上げることにより、花用保持材４０を取り外すことができる。従って、位牌１０は、花用保持材台４０を容易に着脱することが可能であり、メンテナンス性に優れている。
【００３７】
なお、上記実施形態では、花用保持材４０をなすケース４２の底面４２ａに両面テープからなる固定部材４６を取り付けた構成を例示したが、本発明はこれに限定されるものではなく、凹部３４の底面側に固定部材４６を設けたものであってもよく、凹部３４及び花用保持材４０の双方の底面に固定部材４６を設けたものであってもよい。
【００３８】
面ファスナを固定部材４６として用いる場合等は、面ファスナの雄片あるいは雌片のうち一方を花用保持材４０の底面に取り付け、他方を凹部３４の底面に取り付けた構成とすることが可能である。
【００３９】
以上、本考案の代表的な実施形態について説明したが、それぞれ本考案の技術的思想の範囲内で種々の設計変更が可能である。例えば、図５及び図６に示す位牌６０のように、札部２０や台座部３０の大きさや形状を位牌１０のものと相違させてもよい。
【００４０】
また、本実施形態のように台座部３０を単一の部材によって構成せず、従来公知の位牌のように返り花、ナス座、蓮華などの中間部材等を備えた構成とすることも可能である。かかる構成とする場合についても、上方に向けて開口した凹部３４を設けることにより、花台４０を設置することが可能となり、本実施形態の位牌１０や位牌６０と同様の効果が得られる。
【００４１】
また、上記実施形態においては、花用保持材４０として、ケース４２の内部にスポンジ状部材４４を収容して構成されたものについて説明したが、花用保持材はスポンジ状部材のみで構成されていてもよいし、また、例えば剣山等で構成されていてもよい。これらの場合、スポンジ状部材又は剣山を、台座部の凹部に挿入し、固定部材で固定すればよい。
【００４２】
また、上記実施形態においては、札部２０と台座部３０とが接続されて位牌１０が構成されている態様について説明したが、札部と台座部とが単一の部材で構成されていてもよい。即ち、位牌を構成する札部と台座部とは一体的に形成されていてもよい。
【産業上の利用可能性】
【００４３】
本発明の位牌は、戒名や俗名、メッセージ性の高い言葉を記す等して故人を偲ぶためのモニュメントとして利用する他、第三の家族である愛玩動物を偲ぶためのモニュメントとしても利用できる。
【符号の説明】
【００４４】
１０，６０    位牌
２０          札部
３０          台座部
３４          凹部
４０          花用保持材
４２          ケース
４４          スポンジ状部材
５０          花
【図１】
0003164630.tif 000003
【図２】
0003164630.tif 000004
【図５】
0003164630.tif 000005
【図６】
0003164630.tif 000006
【図３】
0003164630.tif 000007
【図４】
0003164630.tif 000008